Podtech/llm-jp-corpus-v4-ja_patent huggingface dataset:
(57)【特許請求の範囲】
【請求項１】
コイルを巻回したボビンおよび該ボビンの中を軸心方向に移動する可動鉄心を有し、該軸心方向を平行にして配置された２つの電磁ソレノイドと、枢支点まわりに回動自在に支持された天秤棒とを備え、
上記２つの可動鉄心を上記天秤棒の両端にそれぞれ回動自在に連結し、上記２つの可動鉄心のうち、何れか１つの可動鉄心の端部を被制御機器に対する駆動力の出力部とし、上記２つのコイルの励磁・消磁に基づく上記２つの可動鉄心の移動方向を互いに反対向きに設定して、上記天秤棒の枢支点まわりの慣性モーメントを平衡させたことを特徴とする電磁ソレノイド。
【発明の詳細な説明】
【技術分野】
【０００１】
この発明は、機器に固定されたソレノイド・コイルに通電して、コイルに挿通された可動鉄心（プランジャー）を一方向に移動させて駆動力を発生する電磁ソレノイドに関し、特に、衝撃による誤作動を防止するように構成したものである。
【背景技術】
【０００２】
電磁ソレノイドは、電気的に操作される被制御機器、例えば、防火扉、排気ダクトのダンパーのほか、貴重品保管庫、ロッカーなどの扉の遠隔解錠などの多くの分野で使用されている。
【０００３】
電磁ソレノイドは、図２に示すように、中空のボビン17に巻線を施したソレノイドコイル18と、この中空のボビン17の中に固定された固定鉄心15と、中空のボビン17の中に挿通された可動鉄心11と、この可動鉄心11の先端部12を突出させる方向に弾力を付勢するコイルスプリング13とにより構成されている。
【０００４】
この電磁ソレノイドを機器に固定して、非通電状態で、機器を倒したり落下させたりして、図２に矢印Ａで示す方向に衝撃を受けると、ボビン17およびソレノイドコイル18は機器と一体になって矢印Ａで示す衝撃方向に移動するが、可動鉄心11は、その慣性により現状位置に留まろうとするので、可動鉄心11は、矢印Ｂの方向に相対的に変位して、あたかも電磁ソレノイドが作動したような誤作動をする。
【０００５】
このような衝撃に起因する誤作動を防止するために、電磁ソレノイドの可動鉄心と平行に可動鉄心と同じ質量の錘を配置し、可動鉄心と錘とを天秤棒の両端に結合し、天秤棒の中央を枢支点として天秤棒を揺動自在に支持させる。そして、電磁ソレノイドに衝撃を受けたとき、可動鉄心側および錘側の慣性モーメントが互いに打ち消し合って天秤棒は回動することなく、可動鉄心および錘は動かないので誤作動しない電磁ソレノイドが、下記特許文献１に開示されている。
【先行技術文献】
【特許文献】
【０００６】
【特許文献１】実開昭６１−５５３１７号公報
【発明の概要】
【発明が解決しようとする課題】
【０００７】
このような従来の電磁ソレノイドにおいては、構造が簡単であるが、可動鉄心の他に同質量の錘を備えているので慣性負荷が２倍になって、通常の使用時に作動速度が遅くなるという問題があって、あまり使用されていなかった。
【課題を解決するための手段】
【０００８】
この発明の電磁ソレノイドは、コイルを巻回したボビンおよびボビンの中を軸心方向に移動する可動鉄心を有し、この軸心方向を平行にして配置された２つの電磁ソレノイドと、枢支点まわりに回動自在に支持された天秤棒とを備え、上記２つの可動鉄心を上記天秤棒の両端にそれぞれ回動自在に連結し、上記２つの可動鉄心のうち、何れか１つの可動鉄心の端部を被制御機器に対する駆動力の出力部とし、上記２つのコイルの励磁・消磁に基づく上記２つの可動鉄心の移動方向を互いに反対向きに設定して、上記天秤棒の枢支点まわりの慣性モーメントを平衡させたものである。
【発明の効果】
【０００９】
この発明の電磁ソレノイドによると、可動鉄心の駆動力および動作速度を低下させることなく、かつ、瞬間的な衝撃を受けても、コイルに対して可動鉄心は相対的に移動することがないので、誤動作をしない信頼度の高いものとすることができる。
【図面の簡単な説明】
【００１０】
【図１】この発明の電磁ソレノイドの実施形態を示す断面図、
【図２】従来の電磁ソレノイドの一例を示す断面図である。
【発明を実施するための形態】
【００１１】
この発明の電磁ソレノイドは、図１の断面図に示すように、２つの電磁ソレノイド１、２を互いに反対向きに平行に配置したものである。
【００１２】
第１の電磁ソレノイド１は、ボビン17に巻回されたソレノイドコイル18と、ボビン17に固定された固定鉄心15と、ボビン17に挿通された可動鉄心11とより構成されている。
【００１３】
この固定鉄心15には、中心に軸方向の貫通孔16があけられており、この貫通孔16に可動鉄心11の後端部に結合したロッド14が挿通される。そして、可動鉄心11の先端部12をボビン17より突出させ、この可動鉄心11の先端部12を突出させる方向に弾力を付勢するコイルスプリング13が嵌め込まれている。この先端部12は、被制御機器に対する駆動力の出力部である。
【００１４】
第２の電磁ソレノイド２は、第１の電磁ソレノイド１と同様にボビン27に巻回されたソレノイドコイル28と、ボビン27に固定された固定鉄心25と、ボビン27に挿通された可動鉄心21とより構成されている。
【００１５】
この可動鉄心21の後端部にロッド24が結合され、このロッド24はボビン27より突出さている。
【００１６】
第１の電磁ソレノイド１の固定鉄心15の貫通孔16から突出したロッド14の先端部と、第２の電磁ソレノイド２の可動鉄心21に結合されたロッド24の先端部とは、天秤棒３の両端に回動自在に連結されており、この天秤棒３の中央部を枢支点31として回動自在に支持される。
【００１７】
２つの電磁ソレノイド１、２のコイルを使用電圧に応じて直列または並列に接続し、可動鉄心11、21を天秤棒３を介して連結すると、２つの電磁ソレノイド１、２により、両者の駆動力を合成した２倍の駆動力を発生することができる。したがって、大きな駆動力を必要としない場合には、２つの電磁ソレノイドとして、細い小型のものを採用すればよいのである。
【００１８】
そして、第１および第２の電磁ソレノイド１、２の可動鉄心11、21の質量をほぼ等しく設定して、天秤棒３の枢支点31まわりの慣性モーメントを平衡させておくと、非通電状態において、２つの電磁ソレノイド１、２に軸線方向の衝撃を受けても、天秤棒３は回動することなく、誤作動を生じないのである。
【符号の説明】
【００１９】
１、２  電磁ソレノイド
３  天秤棒
11、21  可動鉄心
15、25  固定鉄心
17、27  ボビン
18、28  コイル
【図１】
0005655231.tif 000002
【図２】
0005655231.tif 000003
(57)【特許請求の範囲】
【請求項１】
底板と支柱に其々に磁石を設け、該底板と該支柱を蝶番にて蝶着し、該支柱を上下回動
可能にし、該磁石同士を着脱可能にし、ラッチにより該支柱を該底板に立設固定と立設解除可能にし、該支柱に包丁を上下回動可能に設け、該包丁を上部方向に回動させて該磁石に着脱可能にし、俎の左端に楯を立設し、該底板に該俎を嵌通し、該俎に素材を載せ該楯
と該俎を左右に移動可能にし、該楯を貫通孔より大きくし該楯を貫通不能にし、枡型楯を素材に重ねて俎と素材を左右に移動可能にし、該枡型楯を該支柱に当てて停止可能にし手を保護する調理器。
【発明の詳細な説明】
【発明が属する技術分野】
【０００１】
本発明は、飲食物の調理に関するものである。
【背景技術】
【０００２】
従来、飲食物の調理は、包丁、ピーラー、電動スライス器により行われている。
【発明の概要】
【発明が解決しようとする課題】
【０００３】
包丁による怪我が懸念される。包丁のみでは硬い素材をスライスするのが大変である。手が直接に素材に接触するので不衛生であり。特に、漬物の場合は、臭いが手に残る。
電動の場合は、電力の消費とセットの取り付けと、取外しが面倒であり、使用後に部品が多くて洗うのが大変である。
本発明は、以上の問題点を解決するためになされたものである。
【課題を解決するための手段】
【０００４】
底板と支柱に其々に磁石を設け、底板と支柱を蝶番にて蝶着し、支柱を上下回動可能にし、磁石同士を着脱可能にし、ラッチにより支柱を底板に立設固定と立設解除可能にし、支柱にネジ軸を固定し、包丁の先端に穴をあけ包丁をネジ軸に嵌め、鍋蓋型ナットをネジ軸に嵌め、包丁を上下回動可能にし、包丁を上部方向に回動させて磁石に着脱可能にし、俎の左端に楯を立設し、底板に俎を嵌通し、更に、貫通孔を嵌通させ、手動で楯と俎を左右に移動可能にし、楯を支柱の貫通孔より大きくし楯を貫通不能にする。
該枡型楯に円弧、三角形、枠なし、枠ありに設け、該枡型楯の中部に取手を設け、該枡型楯に包丁を接触と離脱させて調理する。
以上の構成よりなる手を保護する調理器。
【発明の効果】
【０００５】
楯により手と包丁の接触を防止し手の怪我を減少させる。楯により素材に手が接触しないので衛生的である。漬物の場合は、臭いが手に付き難い。
梃子の応用で特に固い素材でも調理するのが容易である。安全性と性能性と衛生的であるから教材用に最適である。
【図面の簡単な説明】
【０００６】
【図１】図１は実線図の包丁は大根を調理した状態を示した側面図。
【図２】図２は枡型楯（20）を使用して大根を包丁で調理した状態を示した正面図。
【図３】図３は枡型楯（20）の三角形（22）の部分を大根に重ねた状態を示す正面図。
【図４】図４は枡型楯（20）の三角形（22）の部分を大根に重ねた状態を示す側面図。
【発明を実施するための形態】
【０００７】
以下、本発明の実施の形態を説明する。
（イ）底板（１）は、凹型で溝（15）に俎（16）を嵌通させる。
（ロ）支柱（3）は、門型で中間を貫通孔（13）にして、俎（16）と素材を嵌通させる。      支柱の左側頭部を傾斜（14）にして包丁を円滑に回動させる。
（ハ）蝶番（8）は、二枚羽型で、底板（1）と支柱（3）を介在する。
（二）ラッチ（4）は、ピストンとシリンダー型、シリンダーを支柱（3）に設け、留め金    （5）を底板（1）に設ける。支柱（3）を立設固定と固定解除させる。
（ホ）磁石（2）と磁石（7）は、リング型であり、底板（1）と支柱（3）に設けて、磁石      同士を着脱可能にする。
（へ）包丁（9）は、多種多様を利用する。包丁（９）の先端に穴を設け、支柱（3）に着      脱可能に設ける。
（ト）ネジ軸（11）は、棒型で、支柱（3）に固定する。包丁（9）と摺接部分は螺刻不        用、鍋蓋型ナット（12）と結合部分は螺刻する。
（チ）鍋蓋型ナット（12）は、鍋蓋型であり、ネジ軸（11）に嵌める。
（リ）俎（16）は、長方形であり、素材を載せて底板（1）と貫通孔（13）を嵌通させ        る。
（ヌ）楯（19）は、四角形で、貫通孔（13）より大型にして楯（19）を貫通不能にして停      止可能。俎（16）に立設する。楯（19）は手と包丁（9）の接触を阻止する。
（ル）枡型楯（20）は、枡形で、枡型楯（20）と包丁が接触する部分に、円弧（21）、三      角形（22）を設け、枠あり（24）、枠なし（23）にし、従来の調理（包丁）方式に      枡形楯（20）を活用する。また、俎と素材を左右移動させる。枡形楯（20）は手と      包丁の接触を阻止する。
（ヲ）取手（25）は、棒型で、楯（19）枡型楯（20）に横設する。
本発明は以上のような構造である。
本発明を使用するときは、方法その1、磁石により底板（1）と支柱（3）が合体状態を解除して、支柱（3）を底板（1）に立設し、ラッチ（4）の把手（6）を下に下げて施錠する。包丁（9）をネジ軸（11）に嵌めて、鍋蓋型ナット（12）をネジ軸（11）に嵌める。包丁（9）を上部方向に回転させ磁石（7）に吸着させる。底板（1）に俎（16）を嵌通させて、俎（16）の上に素材をのせて、楯（19）の取手（25）を握りしめ、俎（16）を移動し包丁の真下に素材を合わせて、包丁（9）を磁石（7）から切離して、包丁（9）をスライドさせ同時に俎（16）を操作して素材の大きさを調整する。
方法その2、楯（19）を使用せず。枠型楯（20）の形状が素材の形状に馴染みやす    い形状を選択し、枠型楯（20）の取手（25）を握りしめ素材に押し当て、俎（16）      と素材を操作し、包丁（9）をスライドさせて調理する。
方法その3、俎に素材を載せ、枡型楯（20）を素材に重ねて、枡型楯（20）の接触部に包丁を接触させて、又は、離脱し包丁をスライドさせ調理する。調理終了後に、鍋蓋型ナット（12）を外し、包丁（9）を外し、ラッチ（4）で支柱（3）を固定解除し、支柱（3）を横に倒すと磁石同士が合体して、調理器をコンパクトにする。
【符号の説明】
【０００８】
1底板、2磁石、3支柱、4ラッチ、5留め金、6把手、7磁石、8蝶番、9包丁、10柄、11ネジ軸、12鍋蓋型ナット、13貫通孔、14傾斜、15溝、１6俎、１7大根、
１8大根の切り口、１9楯、20枡型楯、21円孤、22三角形、23枠なし、24枠あり、25取手、 
【要約】
【課題】包丁により手の怪我が懸念される。包丁のみでは硬い素材を調理するのが大変である。手が素材に接触するので不衛生であり、漬物の場合は、手に臭いが残る。
本発明は、以上の問題点を解決するためになされたものである。
【解決手段】支柱に包丁を上下回動自在に設け、底板に俎を嵌通し、俎に素材を載せて楯と俎を左右に移動可能にし、楯を貫通孔より大きくし楯を貫通不能にして、楯により手と包丁の接触を防止する。
以上の構成よりなる手を保護する調理器。
【選択図】    図１【図１】
0005818291.tif 000002
【図２】
0005818291.tif 000003
【図３】
0005818291.tif 000004
【図４】
0005818291.tif 000005